(57)【要約】      （修正有）【課題】昇降路ピット部に設置されたエレベータ用機器類の点検等を効率良く行うことができるエレベータ用点検装置を得る。【解決手段】エレベータ昇降路１内を昇降するかご２と、このかご２の乗場６側下方に設けられ、その床面積がかご２の床３面積よりも小さい保守足場９と、かご２及び保守足場９間に設けられ、保守足場９をかご２に対して上下方向に移動可能に連結するとともに、かご２がその昇降可能範囲の最下部に停止した状態で、保守足場９を昇降路１底面近傍まで下降可能に連結した連結装置８とを備える。【選択図】図１
2006160480.tif 000002
【特許請求の範囲】
【請求項１】
エレベータ昇降路内を昇降するかごと、このかごの乗場側下方に設けられ、その床面積が前記かごの床面積よりも小さい保守足場と、前記かご及び前記保守足場間に設けられ、前記保守足場を前記かごに対して上下方向に移動可能に連結するとともに、前記かごがその昇降可能範囲の最下部に停止した状態で、前記保守足場を前記昇降路底面近傍まで下降可能に連結した連結装置とを備えたことを特徴とするエレベータ用点検装置。
【請求項２】
エレベータ昇降路内を昇降するかごと、このかごの乗場側及び奥側下方にそれぞれ設けられ、その床面積が前記かごの床面積よりも小さい保守足場と、前記かご及び前記各保守足場間にそれぞれ設けられ、前記各保守足場を前記かごに対して上下方向にそれぞれ独立して移動可能に連結するとともに、前記かごがその昇降可能範囲の最下部に停止した状態で、前記保守足場の少なくとも一方を前記昇降路底面近傍まで下降可能に連結した連結装置とを備えたことを特徴とするエレベータ用点検装置。
【請求項３】
エレベータ昇降路内を昇降するかごと、このかごの下面に設けられたレールと、このレールに沿って水平方向に移動可能に設けられたローラと、前記かごの下方に設けられ、その床面積が前記かごの床面積よりも小さい保守足場と、前記ローラ及び前記保守足場間に設けられ、前記保守足場を前記かごに対して上下方向に移動可能に連結するとともに、前記かごがその昇降可能範囲の最下部に停止した状態で、前記保守足場を前記昇降路底面近傍まで下降可能に連結した連結装置とを備えたことを特徴とするエレベータ用点検装置。
【請求項４】
レールは、かごの下面に、前記かごの幅方向に渡って一直線状に設けられたことを特徴とする請求項３に記載のエレベータ用点検装置。
【請求項５】
レールは、かご下面の乗場側及び奥側に、前記かごの幅方向に渡って一直線状にそれぞれ設けられたことを特徴とする請求項３に記載のエレベータ用点検装置。
【請求項６】
レールは、かごの下面に無端状に設けられたことを特徴とする請求項３に記載のエレベータ用点検装置。
【請求項７】
保守足場は、かごが最下階の乗場に停止した状態で、昇降路底面まで下降可能であることを特徴とする請求項１から請求項６の何れかに記載のエレベータ用点検装置。
【請求項８】
保守足場は、鉛直投影面上、昇降路ピット部に立設されたかご用緩衝器を避けて配置されたことを特徴とする請求項１から請求項７の何れかに記載のエレベータ用点検装置。
【請求項９】
連結装置及び保守足場は、かご下面に着脱自在に設けられたことを特徴とする請求項１から請求項８の何れかに記載のエレベータ用点検装置。
【発明の詳細な説明】
【技術分野】
【０００１】
この発明は、昇降路ピット部に設置されたエレベータ用機器類の点検時に使用されるエレベータ用点検装置に関するものである。
【背景技術】
【０００２】
昇降路ピット部に設置されたエレベータ用機器類の点検時に使用される従来のエレベータ用点検装置には、エレベータのかごの箱裏底部に折畳可能に配設され、エレベータ乗場から乗り込むことができる点検台と、この点検台内においてエレベータの運転操作が可能なかご下運転スイッチと、点検台に着脱可能に配設され、点検台から昇降路のピット部に降りることができる縄梯子とを備えたものがある（例えば、特許文献１参照）。
【０００３】
【特許文献１】特開平５−１４７８４５号公報
【発明の開示】
【発明が解決しようとする課題】
【０００４】
輸送力向上のため昇降速度を速くした高速エレベータ装置等では、昇降路ピット部に設置されたかご用緩衝器のストローク長を、かごの最高昇降速度等に合わせて長くする必要がある。かかるエレベータ装置の昇降路ピット部に設置されたエレベータ用機器類を、特許文献１記載のエレベータ用点検装置により点検する場合、かごの箱裏底部に設けられた点検台をかご用緩衝器より下方に移動させることができないため、かご用緩衝器のストローク長が長くなるに従って作業者が縄梯子を利用して昇降する距離が長くなり、作業効率が悪化してしまうという問題が生じていた。
【０００５】
この発明は、上述のような課題を解決するためになされたもので、その目的は、昇降路ピット部に設置されたエレベータ用機器類の点検等を効率良く行うことができるエレベータ用点検装置を提供することである。
【課題を解決するための手段】
【０００６】
この発明に係るエレベータ用点検装置は、エレベータ昇降路内を昇降するかごと、このかごの乗場側下方に設けられ、その床面積がかごの床面積よりも小さい保守足場と、かご及び保守足場間に設けられ、保守足場をかごに対して上下方向に移動可能に連結するとともに、かごがその昇降可能範囲の最下部に停止した状態で、保守足場を昇降路底面近傍まで下降可能に連結した連結装置とを備えたものである。
【発明の効果】
【０００７】
この発明は、エレベータ昇降路内を昇降するかごと、このかごの乗場側下方に設けられ、その床面積がかごの床面積よりも小さい保守足場と、かご及び保守足場間に設けられ、保守足場をかごに対して上下方向に移動可能に連結するとともに、かごがその昇降可能範囲の最下部に停止した状態で、保守足場を昇降路底面近傍まで下降可能に連結した連結装置とを備える構成としたことで、昇降路ピット部に設置されたエレベータ用機器類の点検等を効率良く行うことができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明の実施の形態１におけるエレベータ用点検装置の側面図である。図１において、エレベータ昇降路１内を昇降するかご２は、主索（図示せず）により懸吊されており、この主索の端部が連結されたかご枠（図示せず）にかご床３が固定されている。このかご床３上には、かご室４及びかごの戸５が設けられており、かご床３が所定のエレベータ乗場６の床面と略同高さとなるようにかご２が停止することにより、エレベータ利用者の乗降が行われる。また、昇降路１内を昇降するかご２が万一昇降路１の底面に衝突した場合に、その衝突の際の衝撃を緩和してかご室４内に乗っている利用者の安全を確保するため、エレベータ昇降路１のピット部１ａには、かご用緩衝器７が設置されている。このかご用緩衝器７は、かご２の昇降方向を案内するかご用ガイドレール（図示せず）の下部間に渡って設けられた支持梁７ａにより強固に支持されており、かご２の中心位置、即ちかご２の重心位置のほぼ直下部に立設されている。また、そのストローク長は、かご２の昇降速度や昇降距離、重量、定格荷重等に基づいて設定されている。なお、上記ピット部１ａとは、建築物の所定階に設けられたエレベータ乗場６のうちの最下階に設けられた乗場６の床面から昇降路１底面までの昇降路１の空間のことをいう。
【００１０】
また、かご床３の下面には、上下方向に伸縮自在な連結装置８を介して保守足場９が設けられている。かご床３の下方に設けられたこの保守足場９は、かご床３の乗場６側に配置されており、かご床３の床面積よりもかなり小さな床面積を有している。また、かご２のかご床３下面及び保守足場９間に設けられた連結装置８は、リンク機構等によって上下方向に伸縮自在に構成されることにより、保守足場９をかご２に対して上下方向に移動可能に連結している。また、この連結装置８は、保守足場９に乗った作業者がその保守足場９からピット部１ａ底面に容易に降りることができる程度にまで保守足場９を下降させることが可能な構成を有している。即ち、連結装置８は、かご２がその昇降可能範囲の最下部又は最下階の乗場６に停止した状態で、保守足場９をピット部１ａ底面近傍若しくはピット部１ａ底面に接触するまで下降させることができる。なお、保守足場９は、連結装置８によりかご床３底面からピット部１ａ底面まで昇降するため、その昇降の際にピット部１ａに設置されたエレベータ用機器類と干渉しないように、所定の大きさ及び形状を有している。特に、鉛直投影面上、かご用緩衝器７及び支持梁７ａを避けるように配置されている。また、保守足場９の昇降は、遠隔操作等による電気式の駆動装置や保守足場９上に設置された機械式の駆動装置により行われる。
【００１１】
次に、かかるエレベータ用点検装置を使用した際の動作について説明する。
エレベータ作業者が、上記エレベータ用点検装置を使用して昇降路１のピット部１ａに設置されたエレベータ用機器類を点検又は修理等行う場合、建築物の所定階に設けられた乗場６のうち、最下部に設けられた乗場６付近にかご１を停止させる。この時、かご床３が乗場６の床面よりも所定距離上方となるようにかご２を停止させ、かご２と乗場６との間に保守足場９へ乗り込むための空間を形成する。次に、作業者は、かご２の下方に設けられた保守足場９の高さを調整し、乗場６から保守足場９上に移動する。保守足場９上に移動した作業者は、連結装置８を伸縮させることにより保守足場９の高さを自分の作業位置に合わせ、適当な位置で保守足場９を停止させる。なお、昇降路１のピット部１ａ底面に設置されたエレベータ用機器類の検査等を行う場合には、保守足場９をピット部１ａ底面近傍にまで移動させ、保守足場９から直接ピット部１ａ底面に降りて作業を行う。この時、保守足場９がピット部１ａ底面に衝突する際の衝撃を緩和させるため、保守足場９の下面に緩衝材等を設置しても構わない。また、昇降路１のピット部１ａ底面に直接作業者が入ることができるような場合には、保守足場９をピット部１ａ底面近傍まで下降させておき、ピット部１ａ底面から直接保守足場９に乗り込むようにして、所定の高さに設置されたエレベータ用機器類の点検等を行っても良い。
【００１２】
この発明の実施の形態１によれば、かご床３の下面に設けられた保守足場９は、連結装置８により昇降路１のピット部１ａ底面近傍まで下降させることができるため、従来のような縄梯子を要することなく、ピット部１ａの乗場６側に設置されたエレベータ用機器類の点検を、作業者が保守足場９に乗ったまま迅速に行うことが可能となる。また、保守足場９の床面積をかご床３の床面積よりも小さくし、且つ、保守足場９はその昇降の際にピット部１ａのエレベータ用機器類と干渉しないような形状及び配置を有しているため、作業者は、保守足場９をピット部１ａ底面近傍まで下降させて、保守足場９から直接ピット部１ａ底面に降りることができ、作業効率を大幅に改善することが可能となる。特に、保守足場９は、鉛直投影面上、かご用緩衝器７を避けるように配置されているため、かご用緩衝器７のストローク長が長い高速エレベータ装置の場合には、作業効率の大幅な改善を図ることが可能となる。
【００１３】
なお、上記連結装置８及び保守足場９をかご床３に着脱自在に構成し、ピット部１ａに設置されたエレベータ用機器類の点検時のみ設置するようにしても構わない。かかる構成を有することにより、かご床３を薄くすることができ、ピット部１ａの空間を有効に活用することが可能となる。即ち、連結装置８及び保守足場９がかご床３の下面に常時設置されている場合には、かご床３の下面に連結装置８及び保守足場９を格納する空間が必要となり、ピット部１ａの空間を有効に活用することができない。また、連結装置８及び保守足場９をかご床３に着脱自在に構成することにより、連結装置８及び保守足場９を異なるエレベータ装置の点検時にも使用することができ、製作コストを低減することが可能となる。
【００１４】
実施の形態２．
図２はこの発明の実施の形態２におけるエレベータ用点検装置の側面図である。図２において、かご床３の下面には、上下方向に伸縮自在な連結装置８ａ及び８ｂを介して、保守足場９ａ及び９ｂがそれぞれ設けられている。ここで、連結装置８ａを介してかご床３の下面に設けられた保守足場９ａはかご床３の乗場６側に、また、連結装置８ｂを介してかご床３の下面に設けられた保守足場９ｂはかご床３の反乗場６側、即ち奥側に配置されており、この保守足場９ａ及び９ｂは、かご床３の床面積よりもかなり小さな床面積を有している。また、かご２のかご床３下面と保守足場９ａ及び９ｂ間にそれぞれ設けられた連結装置８ａ及び８ｂは、リンク機構等によって上下方向に伸縮自在に構成されることにより、保守足場９ａ及び９ｂをかご２に対して上下方向にそれぞれ独立して移動可能に連結している。また、この連結装置８ａ及び８ｂは、保守足場９ａ及び９ｂに乗った作業者がその保守足場９ａ及び９ｂからピット部１ａ底面に容易に降りることができる程度にまで保守足場９ａ及び９ｂを下降させることが可能な構成を有している。即ち、連結装置８ａ及び８ｂは、かご２がその昇降可能範囲の最下部又は最下階の乗場６に停止した状態で、保守足場９ａ及び９ｂをピット部１ａ底面近傍若しくはピット部１ａ底面に接触するまで下降させることができる。なお、保守足場９ａ及び９ｂは、連結装置８ａ及び８ｂによりかご床３底面からピット部１ａ底面まで昇降するため、その昇降の際にピット部１ａに設置されたエレベータ用機器類と干渉しないように、所定の大きさ及び形状を有している。特に、鉛直投影面上、かご用緩衝器７及び支持梁７ａを避けるように配置されている。その他は実施の形態１と同様の構成を有する。
【００１５】
次に、かかるエレベータ用点検装置を使用した際の動作について説明する。
エレベータ作業者が、上記エレベータ用点検装置を使用して昇降路１のピット部１ａに設置されたエレベータ用機器類を点検又は修理等行う場合、建築物の所定階に設けられた乗場６のうち、最下部に設けられた乗場６付近にかご２を停止させる。この時、かご床３が乗場６の床面よりも所定距離上方となるようにかご２を停止させ、かご２と乗場６との間に、乗場６側の保守足場９ａへ乗り込むための空間を形成する。次に、作業者は、乗場６側の保守足場９ａの高さを調整し、乗場６から保守足場９ａ上に移動する。ここで、ピット部１ａの乗場６側に設置されたエレベータ用機器類の点検等を行う場合、保守足場９ａ上に移動した作業者は、連結装置８ａを伸縮させることにより保守足場９ａの高さを自分の作業位置に合わせ、適当な位置で保守足場９ａを停止させる。なお、昇降路１のピット部１ａ底面に設置されたエレベータ用機器類の検査等を行う場合には、保守足場９ａをピット部１ａ底面近傍にまで移動させ、保守足場９ａから直接ピット部１ａ底面に降りて作業を行う。
【００１６】
また、ピット部１ａの反乗場６側、即ち奥側に設置されたエレベータ用機器類の点検等を行う場合、保守足場９ａ上に移動した作業者は、先ず、連結装置８ｂを伸縮させることにより奥側の保守足場９ｂの高さを自分が乗っている保守足場９ａと略同高さとなるように合わせる。次に、保守足場９ａ及び９ｂ間に跨るように渡し板（図示せず）を設置し、この渡し板を渡って保守足場９ｂへ移動する。なお、保守足場９ａから９ｂへと移動するには、保守足場９ａ及び９ｂをピット部１ａの底面近傍まで降下させ、ピット部１ａ底面に降りてから保守足場９ｂに乗り込むようにしても良い。保守足場９ｂ上に移動した作業者は、連結装置８ｂを伸縮させることにより保守足場９ｂの高さを自分の作業位置に合わせ、適当な位置で保守足場９ｂを停止させる。また、昇降路１のピット部１ａ底面に直接作業者が入ることができるような場合には、保守足場９ａ又は９ｂをピット部１ａ底面近傍にまで下降させておき、ピット部１ａ底面から直接保守足場９ａ又は９ｂに乗り込むようにして、所定の高さに設置されたエレベータ用機器類の点検等を行っても良い。
【００１７】
この発明の実施の形態２によれば、かご床３の乗場６側及び奥側にそれぞれ保守足場９ａ及び９ｂが設けられているため、ピット部１ａの乗場６側に設置されたエレベータ用機器類のみならず、奥側に設置されたエレベータ用機器類の点検等も、作業者が保守足場９ａ及び９ｂに乗ったまま迅速に行うことが可能となる。また、保守足場９ａ及び９ｂはそれぞれ独立に昇降することが可能なため、作業者が保守足場９ａ及び９ｂにそれぞれ乗り込むことにより、乗場６側及び奥側に設置されたエレベータ用機器類の点検を同時に行うことができ、大幅に作業効率を向上させることが可能となる。なお、ピット部１ａに設置されたエレベータ用機器類の配置上、保守足場９ａ又は９ｂの何れか一方がピット部１ａ底面近傍まで下降することができないような場合でも、他方の保守足場９ａ又は９ｂがピット部１ａ底面近傍まで下降することができれば、作業者は保守足場９ａ又は９ｂから直接ピット部１ａ底面に降りることができる。即ち、実施の形態２に示すエレベータ用点検装置では、保守足場９ａ又は９ｂの少なくとも何れか一方が、ピット部１ａ底面近傍まで下降することができれば良い。その他は、実施の形態１と同様の効果を有する。
【００１８】
実施の形態３．
図３はこの発明の実施の形態３におけるエレベータ用点検装置の側面図、図４はその正面図である。図３及び図４において、かご床３の下面には、その乗場６側にかご２の幅方向に渡って一直線状にレール１０が設けられている。このレール１０には、レール１０に沿って水平方向に走行可能なローラ１１が設けられており、このローラ１１に、上下方向に伸縮自在な連結装置８を介して保守足場９が設けられている。かご床３の下方に設けられたこの保守足場９は、かご床３の乗場６側に配置されており、かご床３の床面積よりかなり小さな床面積を有している。また、上記ローラ１１及び保守足場９間に設けられた連結装置８は、リンク機構等によって上下方向に伸縮自在に構成されることにより、保守足場９をかご２に対して上下方向に移動可能に連結している。また、この連結装置８は、保守足場９に乗った作業者がその保守足場９からピット部１ａ底面に容易に降りることができる程度にまで保守足場９を下降させることが可能な構成を有している。即ち、連結装置８は、かご２がその昇降可能範囲の最下部又は最下階の乗場６に停止した状態で、保守足場９をピット部１ａ底面近傍若しくはピット部１ａ底面に接触するまで下降させることができる。なお、保守足場９は、レール１０に案内されたローラ１１によりかご２の幅方向に渡って水平方向に移動可能であるため、少なくとも所定位置において、かご床３底面からピット部１ａ底面まで昇降可能な大きさ及び形状を有していれば良い。なお、その他は実施の形態１と同様の構成を有する。
【００１９】
次に、かかるエレベータ用点検装置を使用した際の動作について説明する。
エレベータ作業者が、上記エレベータ用点検装置を使用して昇降路１のピット部１ａに設置されたエレベータ用機器類を点検又は修理等行う場合、建築物の所定階に設けられた乗場６のうち、最下部に設けられた乗場６付近にかご１を停止させる。この時、かご床３が乗場６の床面よりも所定距離上方となるようにかご２を停止させ、かご２と乗場６との間に保守足場９へ乗り込むための空間を形成する。次に、作業者は、保守足場９の水平方向の位置及び高さを調整し、乗場６から保守足場９上に移動する。保守足場９上に移動した作業者は、自分の作業位置に合わせて保守足場９の水平位置及び高さを調節し、適当な位置及び高さで保守足場９を停止させる。なお、昇降路１のピット部１ａ底面に設置されたエレベータ用機器類の検査等を行う場合には、保守足場９をピット部１ａ底面近傍まで移動させ、保守足場９から直接ピット部１ａ底面に降りて作業を行う。この時、ピット部１ａ底面に降りる際の保守足場９の水平位置は、ピット部１ａ底面のエレベータ用機器類の配置に合わせれば良い。なお、図５は、この発明の実施の形態３におけるエレベータ用点検装置により昇降路１のピット部１ａ底面に作業者が降りた状態を示したものである。また、昇降路１のピット部１ａ底面に直接作業者が入ることができるような場合には、保守足場９をピット部１ａ底面近傍にまで下降させておき、ピット部１ａ底面から直接保守足場９に乗り込むようにして、所定の高さ及び位置に設置されたエレベータ用機器類の点検等を行っても良い。
【００２０】
この発明の実施の形態３によれば、保守足場９の水平位置及び高さを任意に設定することが可能であるため、かご２の両側に配置された機器類等の点検も容易に行うことが可能である。なお、実施の形態３においては保守足場９を乗場６側のみに設置した場合が示されているが、同様の構成を有するレール１０及び保守足場９等を奥側にも設置することにより、実施の形態２と同様の効果を有することもできる。
【００２１】
実施の形態４．
図６は、この発明の実施の形態４におけるエレベータ用点検装置の要部詳細図であり、かご床３を下方から見た状態を示したものである。図６において、かご床３の下面には、かご床３の全体に、略四角環状で、且つ、無端状を呈するレール１０ａが設けられている。このレール１０ａには、レール１０ａに沿って水平方向に走行可能なローラ１１が設けられており、このローラ１１に、上下方向に伸縮自在な連結装置８を介して保守足場９が設けられている。即ち、保守足場９は、連結装置８により上下方向に移動可能に構成されるとともに、レール１０ａに案内されたローラ１１により前後左右に渡って水平方向に移動可能に構成されている。かかる構成を有することにより、昇降路１のピット部１ａ全体のエレベータ用機器類の検査等を迅速に行うことが可能となる。特に、かご２重心位置の直下部に立設されたかご用緩衝器７を避けて移動することが可能となるため、高速エレベータ装置では、有効な手段となる。なお、その他は実施の形態３と同様の構成及び効果を有する。
【図面の簡単な説明】
【００２２】
【図１】この発明の実施の形態１におけるエレベータ用点検装置の側面図である。
【図２】この発明の実施の形態２におけるエレベータ用点検装置の側面図である。
【図３】この発明の実施の形態３におけるエレベータ用点検装置の側面図である。
【図４】この発明の実施の形態３におけるエレベータ用点検装置の正面図である。
【図５】この発明の実施の形態３におけるエレベータ用点検装置の動作を説明するための図である。
【図６】この発明の実施の形態４におけるエレベータ用点検装置の要部詳細図である。
【符号の説明】
【００２３】
１  昇降路
１ａ  ピット部
２  かご
３  かご床
４  かご室
５  かごの戸
６  乗場
７  かご用緩衝器
７ａ  支持梁
８、８ａ、８ｂ  連結装置
９、９ａ、９ｂ  保守足場
１０、１０ａ  レール
１１  ローラ
【図１】
2006160480.tif 000003
【図２】
2006160480.tif 000004
【図３】
2006160480.tif 000005
【図４】
2006160480.tif 000006
【図５】
2006160480.tif 000007
【図６】
2006160480.tif 000008